(57)【要約】【課題】取っ手部を構成するための金型スライドを廃止し外観の見栄えを向上させた洗濯機等の蓋装置を提供する。【解決手段】洗濯機本体１の上部を覆う筐体カバー２に後方を回動自在に軸支された蓋体１２ｂと、蓋体１２ｂに連結され凹状部１５を有する蓋体１２ａと、蓋体１２ａの前部を略全幅に渡って覆う蓋カバー１４とを備え、凹状部１５の前側の一部を蓋カバー１４で覆うようにしたもので、凹状部１５とその前側の一部を覆う蓋カバー１４とで、取っ手部１６を形成することができるので、凹状部１５の形状が単純になり、凹状部１５を形成するための金型スライド（図示せず）を廃止することができ、凹状部１５の形状が自由に決められ、外観の見栄えを向上させるとともに、凹状部１５の下面を一定勾配への平面ではなく滑らかな曲面のデザインにすることができる。【選択図】図１
2006101966.tif 000002
【特許請求の範囲】
【請求項１】
洗濯機等の機器の一部を覆う筐体カバーに一端が回動自在に軸支され他端側に凹状部を有する蓋体と、前記蓋体の前記凹状部側の端部を略全幅に渡って覆う蓋カバーとを備え、前記凹状部の一部を前記蓋カバーで覆うようにした洗濯機等の蓋装置。
【請求項２】
洗濯機等の機器の上部を覆う筐体カバーに後方を回動自在に軸支された蓋体と、前記蓋体の前部を略全幅に渡って覆う蓋カバーとを備え、前記蓋体に凹状部を設けるとともに、前記凹状部の前側の一部を前記蓋カバーで覆うようにした洗濯機等の蓋装置。
【請求項３】
蓋カバーを略半円状に形成し、前記蓋カバーで蓋体の側部も覆うようにした請求項１又は２に記載の洗濯機等の蓋装置。
【発明の詳細な説明】
【技術分野】
【０００１】
本発明は、洗濯機等の蓋装置に関するものである。
【背景技術】
【０００２】
従来のこの種の洗濯機等の蓋装置は、図４に示すように構成されていた（例えば、特許文献１参照）。
【０００３】
以下、その構成について説明する。
【０００４】
図４に示すように、洗濯機本体１の上方に、洗濯機本体１を覆うように筐体カバー２を搭載し、その筐体カバー２の略中央部に後方にて一端を軸支部３により上方へ回動自在に蓋装置５が軸支されている。蓋装置５は、この軸支部３と略平行な軸線４に沿って折りたたみ可能に連結した２つの蓋体５ａ、５ｂを開閉自在に設けている。
【０００５】
一方の蓋体５ａの端部に、図５に示すように、軸線４に沿って片持ち支持される複数の軸受け６をほぼ両端部７ａ、７ｂから略等間隔に一体形成し、他方の蓋体５ｂに、軸受け６と対応する位置に軸受け部８を一体形成している。これら２枚の蓋体５ａ、５ｂは、軸９を軸受け６と軸受け部８に貫通し、回動自在としている。また２枚の蓋体５ａ、５ｂの両端部７ａ、７ｂは下側に略Ｌ字形状に形成して、その下側端面が２枚の蓋体５ａ、５ｂを閉じたときに筐体カバー２に当接するようになっている。
【０００６】
また、蓋体５ｂの取っ手５ｃは、蓋体５ｂと一体に構成されており、キャビ側の金型をスライドさせることにより成型したものである。
【特許文献１】特開２００３−３１１０８６号公報
【発明の開示】
【発明が解決しようとする課題】
【０００７】
このような従来の洗濯機等の蓋装置の構成では、蓋体５ｂに一体に構成された取っ手５ｃは、透明、不透明の樹脂にかかわらず、キャビ側の金型をスライドさせて成型しているので、蓋体５ｂの取っ手５ｃ付近に金型のスライドラインが発生するとともに、金型をスライドさせるため、蓋体５ｂの取っ手５ｃの下面形状は、ある一定角度の傾斜を構成しなければならず、デザイン上規制してしまうという課題を有していた。
【０００８】
本発明は、上記従来の課題を解決するもので、取っ手形状を構成するための金型スライドを廃止し外観の見栄えを向上させるとともに、金型スライドによる凹状部の規制をなくし、デザインのバリエーションを拡大し、かつ使用勝手の良い洗濯機等の蓋装置を提供することを目的としている。
【課題を解決するための手段】
【０００９】
前記従来の課題を解決するために、本発明の洗濯機等の蓋装置は、洗濯機等の機器の一部を覆う筐体カバーに一端が回動自在に軸支され他端側に凹状部を有する蓋体と、前記蓋体の前記凹状部側の端部を略全幅に渡って覆う蓋カバーとを備え、前記凹状部の一部を前記蓋カバーで覆うようにしたもので、凹状部とその一部を覆う蓋カバーとで、取っ手部を形成することができるので、凹状部の形状が単純になり、凹状部を形成するための金型スライドを廃止することができる。また、金型スライド廃止により、凹状部の形状が自由に決められ、外観の見栄えを向上させるとともに、取っ手部の下面を一定勾配への平面ではなく滑らかな曲面のデザインにすることができ、また取っ手部のツバ部に深さを自由に決めることも可能となり使い勝手が向上するものである。
【００１０】
また、本発明の洗濯機等の蓋装置は、洗濯機等の機器の上部を覆う筐体カバーに後方を回動自在に軸支された蓋体と、前記蓋体の前部を略全幅に渡って覆う蓋カバーとを備え、前記蓋体に凹状部を設けるとともに、前記凹状部の前側の一部を前記蓋カバーで覆うようにしたもので、凹状部とその前側の一部を覆う蓋カバーとで、取っ手部を形成することができるので、凹状部の形状が単純になり、凹状部を形成するための金型スライドを廃止することができる。また、金型スライド廃止により、凹状部の形状が自由に決められ、外観の見栄えを向上させるとともに、取っ手部の下面を一定勾配への平面ではなく滑らかな曲面の凹状部デザインにすることができ、また取っ手部のツバ部に深さを自由に決めることも可能となり使い勝手が向上するものである。
【発明の効果】
【００１１】
本発明の洗濯機等の蓋装置は、取っ手形状を構成するための金型スライドを廃止し外観の見栄えを向上させるとともに、金型スライドによる凹状部の規制をなくし、デザインのバリエーションを拡大し、かつ使用勝手の良いものである。
【発明を実施するための最良の形態】
【００１２】
第１の発明は、洗濯機等の機器の一部を覆う筐体カバーに一端が回動自在に軸支され他端側に凹状部を有する蓋体と、前記蓋体の前記凹状部側の端部を略全幅に渡って覆う蓋カバーとを備え、前記凹状部の一部を前記蓋カバーで覆うようにしたもので、凹状部とその一部を覆う蓋カバーとで、取っ手部を形成することができるので、凹状部の形状が単純になり、凹状部を形成するための金型スライドを廃止することができる。また、金型スライド廃止により、凹状部の形状が自由に決められ、外観の見栄えを向上させるとともに、取っ手部の下面を一定勾配への平面ではなく滑らかな曲面のデザインにすることができ、また取っ手部のツバ部に深さを自由に決めることも可能となり使い勝手が向上するものである。
【００１３】
第２の発明は、洗濯機等の機器の上部を覆う筐体カバーに後方を回動自在に軸支された蓋体と、前記蓋体の前部を略全幅に渡って覆う蓋カバーとを備え、前記蓋体に凹状部を設けるとともに、前記凹状部の前側の一部を前記蓋カバーで覆うようにしたもので、凹状部とその前側の一部を覆う蓋カバーとで、取っ手部を形成することができるので、凹状部の形状が単純になり、凹状部を形成するための金型スライドを廃止することができる。また、金型スライド廃止により、凹状部の形状が自由に決められ、外観の見栄えを向上させるとともに、取っ手部の下面を一定勾配への平面ではなく滑らかな曲面のデザインにすることができ、また取っ手部のツバ部に深さを自由に決めることも可能となり使い勝手が向上するものである。
【００１４】
第３の発明は、特に、第１又は第２の発明の蓋カバーを略半円状に形成し、前記蓋カバーで蓋体の側部も覆うようにしたもので、蓋体の前部、側部が二重構成になるため、デザインの差別化、および蓋体の開閉時の衝撃に対する蓋体と取っ手部の強度アップを図ることができる。
【００１５】
以下、本発明の実施の形態について図面を参照しながら説明する。なお、この実施の形態によって本発明が限定されるものではない。
【００１６】
（実施の形態１）
図１は、本発明の第１の実施の形態における洗濯機等の蓋装置を搭載した洗濯機の上部斜視図、図２は、同洗濯機等の蓋装置の断面図である。
【００１７】
図１、２に示すように、洗濯機本体１の上方に、洗濯機本体１を覆うように筐体カバー２を搭載し、その筐体カバー２の略中央部に後方にて一端を軸支部１０により上方へ回動自在に蓋装置１２が軸支されている。蓋装置１２は、軸支部１０と略平行な軸線１１に沿って折りたたみ可能に連結され、開閉自在に設けられた２つの蓋体１２ａ、１２ｂから構成され、蓋体１２ａの軸支部１０と反対側には、凹状部１５が設けられている。
【００１８】
又、蓋体１２ａの凹状部１５側端部、即ち前端を全幅に渡って覆うように蓋カバー１４が、蓋体１２ａに爪嵌合またはネジ止めにて取り付けられ、蓋カバー１４の一部が凹状部１５の前方側の一部を覆っている。１３は、給水弁で、洗濯機本体１内に設けた洗濯槽（図示せず）に給水するものである。
【００１９】
上記構成による洗濯機等の蓋装置の動作、作用を説明する。
【００２０】
図２に示すように、洗濯機等の蓋装置１２は、凹状部１５を一体に設けた蓋体１２ａと、蓋体１２ｂから構成され、凹状部１５の前方側の一部が蓋カバー１４で覆われているので、凹状部１５と蓋カバー１４とで蓋装置１２を開閉する際の取っ手部１６が形成される。
【００２１】
上記構成により、蓋体１２ａに取っ手部１６を形成するための金型スライドを廃止することができ、外観の見栄えを向上させるとともに金型スライドによる凹状部１５の規制をなくすことができる。つまり、取っ手部１６の下面を一定勾配への平面ではなく滑らかな曲面３次元形状の凹状部のデザインにすることができるとともに、取っ手部のツバ部の深さを自由に決めることが可能となり使い勝手を向上させることができる。
【００２２】
また、図３に示すように、蓋カバー１４を略半円状に形成し、蓋体１２ａの前端及び側部の上面を覆うようにして、爪嵌合および／又はネジ止めにより蓋体１２ａに固定するようにすれば、取っ手部１６を構成する金型スライドを上記実施の形態同様に廃止できると共に、蓋体１２ａの前部、側部が蓋カバー１４により二重構造になるので、蓋装置１２の開閉時の衝撃に対する蓋装置１２と取っ手部１６の強度アップを図ることができる。
【産業上の利用可能性】
【００２３】
以上のように、本発明に係る洗濯機等の蓋装置は、取っ手形状を構成するための金型スライドを廃止し外観の見栄えを向上させるとともに、金型スライドによる凹状部の規制をなくし、デザインのバリエーションを拡大し、かつ使用勝手が良いもので、回動式の蓋体や扉を備えた洗濯機、乾燥機など各種機器に適用できる。
【図面の簡単な説明】
【００２４】
【図１】本発明の実施の形態１における洗濯機の蓋装置を備えた洗濯機の上部斜視図
【図２】同洗濯機等の蓋装置の断面図
【図３】他の例を示す洗濯機等の蓋装置の平面図
【図４】従来の洗濯機等の蓋装置を備えた洗濯機の上面図
【図５】同洗濯機等の蓋装置の分解側面図
【符号の説明】
【００２５】
１      洗濯機本体
２      筐体カバー
１２    蓋装置
１２ａ  蓋体
１２ｂ  蓋体
１４    蓋カバー
１５    凹状部
１６    取っ手部
【図１】
2006101966.tif 000003
【図２】
2006101966.tif 000004
【図３】
2006101966.tif 000005
【図４】
2006101966.tif 000006
【図５】
2006101966.tif 000007